(57)【要約】【課題】ユーザーが手間取ることなく容易かつきれいにメンテナンスすることができる電気掃除機の回転ブラシおよびそれを備えた電気掃除機を提供すること。【解決手段】電気掃除機の吸込口体に着脱可能に取り付けられる回転ブラシであって、  外周面にブラシ毛を有すると共に互いに逆方向に突出する一対の支軸を両端部に有するローラー状の回転ブラシ本体と、前記回転ブラシ本体の前記一対の支軸にそれぞれ回転可能に結合する一対の軸受部材と、回転可能に結合する前記一対の軸支と前記一対の軸受部材のうちの少なくとも一方側の支軸と軸受部材とを分離可能とする分離機構とを備え、  前記一対の軸受部材は、前記一対の支軸を挿入させる中心孔をそれぞれ有し、前記分離機構は、前記少なくとも一方側の軸受部材および支軸の軸心方向に力を加えることにより分離および結合可能に構成されていることを特徴とする電気掃除機の回転ブラシ。【選択図】図９
2019025062.tif 000002
【特許請求の範囲】
【請求項１】
電気掃除機の吸込口体に着脱可能に取り付けられる回転ブラシであって、
外周面にブラシ毛を有すると共に互いに逆方向に突出する一対の支軸を両端部に有するローラー状の回転ブラシ本体と、前記回転ブラシ本体の前記一対の支軸にそれぞれ回転可能に結合する一対の軸受部材と、回転可能に結合する前記一対の軸支と前記一対の軸受部材のうちの少なくとも一方側の支軸と軸受部材とを分離可能とする分離機構とを備え、
前記一対の軸受部材は、前記一対の支軸を挿入させる中心孔をそれぞれ有し、
前記分離機構は、前記少なくとも一方側の軸受部材および支軸の軸心方向に力を加えることにより分離および結合可能に構成されていることを特徴とする電気掃除機の回転ブラシ。
【請求項２】
前記分離機構が、回転可能に結合する前記一対の軸支と前記一対の軸受部材のうちの両方側に設けられている請求項１に記載の回転ブラシ。
【請求項３】
前記分離機構は、前記支軸の外周面に設けられた凹周溝と、前記凹周溝と係脱可能に係止するよう前記軸受部材の前記中心孔の内周面に設けられた環状凸部とを有する請求項１または２に記載の回転ブラシ。
【請求項４】
前記一対の軸受部材のうちの少なくとも一方側の軸受部材は、軸心方向から視て前記中心孔を有する正方形のブロック形状に形成されると共に、外周面に窪み部が形成されている請求項１〜３のいずれか１つに記載の回転ブラシ。
【請求項５】
前記一対の軸受部材のうちの他方側の軸受部材は、軸心方向から視て前記中心孔を有する円形のフランジ形状に形成されている請求項４に記載の回転ブラシ。
【請求項６】
請求項１〜５のいずれか１つに記載の回転ブラシが回転可能に取り付けられた吸込口体と、前記吸込口体に接続された掃除機本体とを備えた電気掃除機。
【発明の詳細な説明】
【技術分野】
【０００１】
本発明は、電気掃除機の回転ブラシおよびそれを備えた電気掃除機に関する。
【背景技術】
【０００２】
従来の電気掃除機の吸込口体として、特許文献１には、モータにより回転駆動する回転ブラシを吸込口に有するものが開示されている。
この吸込口体の回転ブラシは、外周面にブラシ毛を有すると共に軸心にシャフトを有する回転ブラシ体と、シャフトの両端部に軸受を介して取り付けられた一対の支持部材と、シャフトの両端部に形成された雌ねじ部に螺着して各支持部材をシャフトから抜け止めするナット部材とを備え、一対の支持部材が吸込口体の吸込口の両端部に設けられたリブに着脱可能に装着されるように構成されている。
【０００３】
また、吸込口体の底面側には吸込口に装着した回転ブラシの支持部材を押さえるカバー部材が設けられており、メンテナンスの際はカバー部材を取り外すことにより回転ブラシを吸込口体から取り外せるようになっている。
【先行技術文献】
【特許文献】
【０００４】
【特許文献１】特開２００１−１３７１６１号公報
【発明の概要】
【発明が解決しようとする課題】
【０００５】
特許文献１の回転ブラシは、ユーザーがメンテナンスの際に前記のように吸込口体から取り外して回転ブラシ体に巻き付いた髪の毛、糸屑等の繊維状ダストを取り払うことはできるが、回転ブラシ体と支持部材との間の隙間に巻き付いた繊維状ダストを取り払うことが困難である。
【０００６】
なお、ナット部材をシャフトから取り外せば支持部材も取り外すことができるため、回転ブラシ体と支持部材との間の隙間に巻き付いた繊維状ダストを取り払うことは可能であるが、ナット部材の取り外しおよび取り付けには手間がかかりかつ工具も必要となるため、ユーザーによるナット部材の取り外しおよび取り付けは想定されていない。
【０００７】
本発明は、このような課題に鑑みなされたものであり、ユーザーが手間取ることなく容易かつきれいにメンテナンスすることができる電気掃除機の回転ブラシおよびそれを備えた電気掃除機を提供することを目的とする。
【課題を解決するための手段】
【０００８】
かくして、本発明によれば、電気掃除機の吸込口体に着脱可能に取り付けられる回転ブラシであって、
外周面にブラシ毛を有すると共に互いに逆方向に突出する一対の支軸を両端部に有するローラー状の回転ブラシ本体と、前記回転ブラシ本体の前記一対の支軸にそれぞれ回転可能に結合する一対の軸受部材と、回転可能に結合する前記一対の軸支と前記一対の軸受部材のうちの少なくとも一方側の支軸と軸受部材とを分離可能とする分離機構とを備え、
前記一対の軸受部材は、前記一対の支軸を挿入させる中心孔をそれぞれ有し、
前記分離機構は、前記少なくとも一方側の軸受部材および支軸の軸心方向に力を加えることにより分離および結合可能に構成されている電気掃除機の回転ブラシが提供される。
【０００９】
また、本発明によれば、前記回転ブラシが回転可能に取り付けられた吸込口体と、前記吸込口体に接続された掃除機本体とを備えた電気掃除機が提供される。
【発明の効果】
【００１０】
本発明の電気掃除機の回転ブラシは、分離機構が、少なくとも一方側の軸受部材および支軸に軸心方向の力を加えることにより分離および結合可能に構成されている。この構成により、少なくとも一方側の軸受部材を指で摘んで回転ブラシ本体から１ステップで容易に引き抜いて分離することができるため、少なくとも一方側の軸受部材と回転ブラシ本体との間の隙間に巻き付いた繊維状ダスト（髪の毛、糸屑等）を簡単に取り払うことができ、ユーザーによる回転ブラシのメンテナンス（清掃作業）を手間取らせないようにすることができる。また、軸受部材の支軸への取り付けも１ステップで行えるため、メンテナンスを迅速に完了させることができる。
【図面の簡単な説明】
【００１１】
【図１】本発明の電気掃除機の実施形態１を示す外観斜視図である。
【図２】図１に示す電気掃除機の吸込口体の上面図である。
【図３】図２に示す吸込口体の底面図である。
【図４】図２に示す吸込口体の側面図である。
【図５】図３に示す吸込口体のＡ−Ａ矢視断面図である。
【図６】図３に示す吸込口体のＢ−Ｂ矢視断面図である。
【図７】図２に示す吸込口体の分解斜視図である。
【図８】実施形態１における回転ブラシの軸心に沿った断面図である。
【図９】実施形態１における回転ブラシの分解斜視図である。
【図１０】実施形態１における回転ブラシの一方側の支軸および軸受部材の分解断面図である。
【図１１】実施形態１における回転ブラシの他方側の支軸および軸受部材の分解断面図である。
【図１２】実施形態２における回転ブラシの他方側の支軸および軸受部材の分解断面図である。
【図１３】実施形態３における回転ブラシの他方側の支軸および軸受部材の分解断面図である。
【発明を実施するための形態】
【００１２】
＜電気掃除機の全体構成＞
図１は本発明の電気掃除機の実施形態１を示す外観斜視図である。
図１に示すように、本発明の電気掃除機１は、電動送風機を内蔵する駆動装置１０Ａおよびこれに着脱可能に装着されるダストカップユニット１０Ｂを有する掃除機本体１０と、駆動装置１０Ａに離脱可能に装着されるバッテリー２０と、モータにて回転駆動する回転ブラシ４４（図３参照）を有する吸込口体４０と、吸込口体４０と掃除機本体２とを気密的に接続する延長管３０とを備える。
また、この電気掃除機１は、バッテリー２０の電力を吸込口体４０内に設けられたモータへ供給する図示しない電気配線部を備えている。
【００１３】
掃除機本体２において、駆動装置１０Ａは、使用者が手で握るハンドル１０Ａａと、ハンドル１０Ａａに設けられ起動・停止スイッチを有する操作部１０Ａｂと、延長管３０の基端部を受け入れて離脱可能に接続する接続部１０Ａｃとを備える。
【００１４】
延長管３０の先端部には、吸込口体４０の接続パイプ部４２を受け入れて離脱可能に接続する接続部３０ａが設けられている。
吸込口体４０は、吸込口本体４１と、延長管３０の接続部３０ａが離脱可能に差し込まれる接続パイプ部４２と、吸込口本体４１に対して接続パイプ部４２を約９０度の角度範囲で前後に揺動させ、かつ、約１８０度の角度範囲で左右に捩じることが可能な関節部４３とを備える。
【００１５】
このような構成された電気掃除機１では、操作部１０Ａｂの起動スイッチが投入されると、電動送風機（図示省略）および回転ブラシ用モータ４５（図６参照）が駆動する。そして、ダストを含む空気が、吸込口体４０の回転する回転ブラシ４４を有する吸込口４１ａ1から延長管３０を通ってダストカップユニット１０Ｂ内に流入し、ダストがダストカップユニット１０Ｂにて捕捉されると共に、浄化された空気は駆動装置１０Ａの側面の図示しない排気口から排気される。
【００１６】
〈吸込口体の構成〉
図２は図１に示す電気掃除機の吸込口体の上面図であり、図３は図２に示す吸込口体の底面図であり、図４は図２に示す吸込口体の側面図である。また、図５は図３に示す吸込口体のＡ−Ａ矢視断面図であり、図６は図３に示す吸込口体のＢ−Ｂ矢視断面図であり、図７は図２に示す吸込口体の分解斜視図である。
【００１７】
これらの図に示すように、吸込口体４０は、底板部４１ａと、底板部４１ａに対面する天板部４１ｂと、進行方向（図２の矢印Ｘ方向）の前後に設けられた前板部４１ｃおよび後板部４１ｄと、天板部４１ｂの上から見て進行方向の左右に設けられた左側板部４１ｅおよび右側板部４１ｆを備える。
【００１８】
吸込口体４０は、図３に示すように、底板部４１ａに設けられ左右方向（矢印Ａ１方向）に伸びる吸込口４１ａ1と、吸込口４１ａ1の後方に前記関節部４３を介して接続された前記接続パイプ部４２と、吸込口４１ａ1に左右方向に伸びる軸心周りに回転可能に設けられた前記回転ブラシ４４と、吸込口４１ａ1と接続パイプ部４２とを接続する吸引流路４１ａ2（図５）と、回転ブラシ４４を駆動する前記回転ブラシ用モータ４５（図６）と、回転ブラシ４４の図３における左端部を覆うブラシカバー４１ｇと、底板部４１ａに設けられた持上げ検知スイッチ４７および車輪４８とを備える。
【００１９】
図７に示すように、吸込口体４０の左側板部４１ｅおよび右側板部４１ｆの内面には、回転ブラシ４４の両端部の後述する第１軸受部材４４ｂおよび第２軸受部材４４ｃを受ける第１受部４１ｅ1および第２受部４１ｆ1が設けられている。
また、図６に示すように、回転ブラシ用モータ４５の出力軸４５ａに固定されたタイミングプーリー４５ｂと、回転ブラシ４４に付設されたタイミングプーリー４４ａ211とは、タイミングベルト４６によって結合されている。なお、回転ブラシ４４について詳しくは後述する。
【００２０】
したがって、前述のように、操作部１０Ａｂの起動スイッチが投入され、床面の清掃作業が開始されると、回転ブラシ用モータ４５により駆動される回転ブラシ４４によって床面のダストが掃き寄せられ、ダストは吸込口４１ａ1から吸引流路４１ａ2と接続パイプ４２を通ってダストカップユニット１０Ｂ（図１）の方へ搬送される。
【００２１】
持上げ検知スイッチ４７は、車輪を有する揺動レバー部と、揺動レバー部を揺動可能に支持するスイッチ本体と、揺動レバー部を下方へ付勢するねじりコイルばねとを有し、スイッチ本体が底板部４１ａに収納された回転ブラシ用モータ駆動回路基板に接続され、揺動レバー部の車輪が底板部４１ａから外部下方へ露出している。
この構成によれば、吸込口体４０が持ち上げられて床面から離れると、持上げ検知スイッチ４７が働いて回転ブラシ用モータ４５の駆動を強制的に停止させることができる。
【００２２】
図３および図７に示すように、ブラシカバー４１ｇは、吸込口本体４１の底板部４１ａと後板部４１ｄとの間を底板部４１aに対して鋭角を有してつなぐ傾斜部４１ｇ1と、傾斜部４１ｇ1の内部に設けられ吸込口本体４１に対してブラシカバー４１ｇをロックするロック機構４１ｇ2と、傾斜部４１ｇ1の外面に設けられロック機構４１ｇ2を開閉操作するスライド式の手動開閉レバー４１ｇ3と、傾斜部４１ｇ1と反対側の端部に設けられた爪部４１ｇ4とを有する。
【００２３】
ブラシカバー４１ｇを底板部４１ａに固定する際は、爪部４１ｇ4を吸込口４１ａ1の溝（図示せず）に掛けてブラシカバー４１ｇを底板部４１ａに取り付け、手動開閉レバー４１ｇ3を「閉」の方向に操作することにより行うことができる。ブラシカバー４１ｇによって回転ブラシ４４は安定して回転することができる。
また、ブラシカバー部材４１ｇを底板部４１ａから取り外す際は、手動開閉レバー４１ｇ3を「開」の方向に操作してブラシカバー４１ｇを持ち上げることにより行うことができる。
【００２４】
＜回転ブラシの構成＞
図８は実施形態１における回転ブラシの軸心に沿った断面図であり、図９は実施形態１における回転ブラシの分解斜視図である。また、図１０は実施形態１における回転ブラシの一方側の支軸および軸受部材の分解断面図であり、図１１は実施形態１における回転ブラシの他方側の支軸および軸受部材の分解断面図である。
【００２５】
図７〜図１１に示すように、回転ブラシ４４は、回転ブラシ本体４４ａと、回転ブラシ本体４４ａの両端部に離脱可能に取り付けられる第１軸受部材４４ｂおよび第２軸受部材４４ｃとを有する。
【００２６】
［回転ブラシ本体］
回転ブラシ本体４４ａは、表面に複数のらせん状の畝を有する樹脂製の筒状体４４ａ1と、各畝に放射状に植え付けられたブラシ毛４４ａｘおよびブレード４４ａｙと、筒状体４４ａ1の一端部および他端部に嵌入される第１支軸アセンブリ４４ａ2および第２支軸アセンブリ４４ａ3とを備える。なお、回転ブラシ４４が図示された図７以外の図において、ブラシ毛４４ａｘおよびブレード４４ａｙは図示を省略している。
【００２７】
図１０に示すように、第１支軸アセンブリ４４ａ2は、筒状体４４ａ1の一端部に嵌着された円柱状で樹脂製の第１キャップ部材４４ａ21と、第１キャップ部材４４ａ21と抜け止め一体成型され第１キャップ部材４４ａ21から同軸に外側へ伸びる金属製の第１支軸４４ａ22とを有する。
【００２８】
また、第１キャップ部材４４ａ21の筒状体４４ａ1とは反対側には円筒形の前記タイミングプーリー４４ａ211が設けられると共に、第１キャップ部材４４ａ21のタイミングプーリー４４ａ211よりも外側へ突出した先端部外周面には断面長方形の凹周溝４４ａ221が設けられている。
【００２９】
図１１に示すように、第２支軸アセンブリ４４ａ3は、筒状体４４ａ1の他端部に嵌着された円柱状で樹脂製の第２キャップ部材４４ａ31と、第２キャップ部材４４ａ31と抜け止め一体成型され第２キャップ部材４４ａ31から同軸に外側へ伸びる金属製の第２支軸４４ａ32とを有する。
【００３０】
また、第２キャップ部材４４ａ31の筒状体４４ａ1とは反対側には円形フランジ４４ａ311が設けられると共に、第２支軸４４ａ32における円形フランジ４４ａ311近傍の先端部外周面には断面長方形の凹周溝４４ａ321が設けられている。
【００３１】
［第１軸受部材］
図１０に示すように、第１軸受部材４４ｂは、軸心方向から視て中心孔４４ｂ11を有する正方形のブロック形状に形成された樹脂製のホルダー部４４ｂ1と、ホルダー部４４ａ21の中心孔４４ａ211内に嵌入された軸受（ラジアル玉軸受）４４ｂ2とを有する。
【００３２】
ホルダー部４４ｂ1において、中心孔４４ｂ11は、第１支軸アセンブリ４４ａ2側の大径孔部と、第１支軸アセンブリ４４ａ2とは反対側の小径孔部とを有し、軸受４４ｂ2は大径孔部と小径孔部との境界の段部に突き当たるまで小径孔部に嵌入されている。
【００３３】
また、ホルダー部４４ｂ1において、大径孔部と小径孔部との間の段部よりも小径孔部側の内周面には、第１軸受部材４４ｂを第１支軸アセンブリ４４ａ2の第１支軸４４ａ22にワッシャ４４ｄを介して取り付ける際に凹周溝４４ａ221と係脱可能に係止する環状凸部４４ｂ12が設けられている。
この環状凸部４４ｂ12は、軸心方向両側に斜面を有し、かつこれらの斜面の間に平坦面を有する断面山形に形成されている（図１３参照）。
【００３４】
そして、第１支軸４４ａ22の凹周溝４４ａ221と、第１軸受部材４４ｂの環状凸部４４ｂ12とによって、第１軸受部材４４ｂおよび第１支軸４４ａ22に相対的な軸心方向の力を加えることにより分離および結合可能な第１分離機構４４ｘ1が構成されている（図８参照）。
【００３５】
また、ホルダー部４４ｂ1において、外周部の４面にはそれぞれ窪み部４４ｂ13が設けられると共に、外周面における窪み部４４ｂ13と第１支軸アセンブリ４４ａ2側に隣接する位置に円形の外鍔部４４ｂ14が設けられている。
窪み部４４ｂ13は、第１軸受部材４４ｂを第１支軸アセンブリ４４ａ2の第１支軸４４ａ22から軸心方向外側へ引き抜く際に指の爪が引っ掛かるようにするための役割を担う。
また、外鍔部４４ｂ14は、第１キャップ部材４４ａ21の凹部内に非接触で挿入され、繊維状ダストが第１支軸アセンブリ４４ａ2内に入って第１支軸４４ａ22へ巻き付くことを抑制するための蓋の役割を担う。
【００３６】
［第２軸受部材］
図１１に示すように、第２軸受部材４４ｃは、軸心方向から視て中心孔４４ｃ11を有する円形のフランジ形状に形成されたホルダー部４４ｃ1と、ホルダー部４４ｃ1の中心孔４４ｃ11内に嵌入された軸受（ラジアル玉軸受）４４ｃ2とを有する。
【００３７】
ホルダー部４４ｃ1において、中心孔４４ｃ11は、第２支軸アセンブリ４４ａ3側の大径孔部と、第１支軸アセンブリ４４ｃ3とは反対側の小径孔部とを有し、軸受４４ｃ2は大径孔部と小径孔部との境界の段部に突き当たるまで小径孔部に嵌入されている。
【００３８】
また、ホルダー部４４ｃ1において、大径孔部と小径孔部との間の段部よりも小径孔部側の内周面には、第２軸受部材４４ｃを第２支軸アセンブリ４４ａ3の第２支軸４４ａ32にワッシャ４４ｄを介して取り付ける際に凹周溝４４ａ321と係脱可能に係止する環状凸部４４ｃ12が設けられている。
この環状凸部４４ｃ12は、軸心方向の大径孔部側に傾斜面４４ｃ121を有し、小径孔部側に垂直面４４ｃ122を有し、これら斜面４４ｃ121と垂直面４４ｃ122との間に平坦面４４ｃ123を有する断面山形に形成されている（図１２参照）。
【００３９】
そして、第２支軸４４ａ32の凹周溝４４ａ321と、第２軸受部材４４ｃの環状凸部４４ｃ12とによって、第２軸受部材４４ｃおよび第２支軸４４ａ32に相対的な軸心方向の力を加えることにより分離および結合可能な第２分離機構４４ｘ2が構成されている（図８参照）。
【００４０】
また、ホルダー部４４ｃ1において、中心孔４４ｃ11の小径孔部側の外周壁部４４ｃ13は軸心方向から視て正方形に形成されると共に、環状凸部４４ｃ12の位置の外周面から径方向外方へ突出した円板キャップ型のフランジ部４４ｃ14が設けられている。
フランジ部４４ｃ14は、第２支軸アセンブリ４４ａ3の円形フランジ４４ａ311の外周部を非接触で覆い、それによって繊維状ダストが第２支軸アセンブリ４４ａ3内に入って第２支軸４４ａ32へ巻き付くことを抑制するための蓋の役割と、第２軸受部材４４ｃを第２支軸アセンブリ４４ａ3から取り外す際に２本または３本の指で掴みやすい掴み部としての役割を担う。
【００４１】
図７に示すように、第１および第２軸受部材４４ｂ、４４ｃが回転ブラシ本体４４ａの両端部に取り付けられた回転ブラシ４４において、第１および第２支軸４４ａ22、４４ａ32は軸受４４ｂ2、４４ｃ2にて支持されている。また、第１および第２支軸４４ａ22、４４ａ32は、共通部品であってもよい。
この回転ブラシ４４は、その第１および第２軸受部材４４ｂ、４４ｃが、吸込口体４０の吸込口４１ａ1の両端側の第１および第２受部４１ｅ1、４１ｆ1に取り付けられる。
【００４２】
第１受部４１ｅ1は第１軸受部材４４ｂのホルダー部４４ｂ1が嵌り込む凹形のリブを有しており、第１軸受部材４４ｂは第１受部４１ｅ1内で位置決め固定される。
第２受部４１ｆ1は第２軸受部材４４ｃのホルダー部４４ｃ1が嵌り込む円環状リブと、軸心方向から視て正方形の凸形リブを有しており、第２受部４１ｆ1の凸形リブ内に第２軸受部材４４ｃの正方形の外周壁部４４ｃ13が嵌り込むことにより、第２軸受部材４４ｃは第２受部４１ｆ1内で位置決め固定される。
【００４３】
このような構成において、回転ブラシ４４の一端部のタイミングプーリー４４ａ211が回転ブラシ用モータ４５（図６）によって駆動されると、その回転力が第１支軸４４ａ22を通じて回転ブラシ本体４４ａに伝達される。一方、回転ブラシ４４の他端部は、第２軸受部材４４ｃが第２受部４１ｆ1（図７）に支持されるので、回転ブラシ４４は吸込口体４０に確実に保持され、安定して回転することができる。
【００４４】
回転ブラシ４４をメンテナンスする際は、前記ブラシカバー４１ｇを取り外し、タイミングベルト４６を回転ブラシ４４のタイミングプーリー４４ｂから外すことにより、回転ブラシ４４を吸込口本体４１から取り外すことができる。
さらに、回転ブラシ本体４４ａの両端部から第１および第２軸受部材４４ｂ、４４ｃおよびワッシャ４４ｄを取り外すことができるため、第１および第２支軸アセンブリ４４ａ2、４４ａ3内の第１および第２支軸４４ａ22、４４ａ32に繊維状ダストが巻き付いていても容易に取り払うことができる。
【００４５】
なお、仮に回転ブラシ本体４４ａの両端部から第１および第２軸受部材４４ｂ、４４ｃを取り外せない構造である場合、第１および第２支軸４４ａ22、４４ａ32に繊維状ダストが巻き付くと、回転時の第１および第２支軸４４ａ22、４４ａ32と繊維状ダストとの摩擦によって摩擦熱が発生し、その熱の影響により軸受４４ｂ2、４４ｃ2の滑りが低下して回転ブラシ４４を回転させる回転ブラシ用モータ４５に大きな負荷がかかって故障するおそれがある。
本発明の場合、故障の原因となる繊維状ダストの除去に加え、必要に応じて軸受４４ｂ2、４４ｃ2に潤滑剤を塗布するメンテナンスも容易に行うことができる。
【００４６】
（実施形態２）
図１２は実施形態２における回転ブラシの他方側の支軸および軸受部材の分解断面図である。なお、図１２において、図１１中の要素と同様の要素には同一の符号を付している。
実施形態１における第２分離機構４４ｘ2では、第２支軸４４ａ32に断面長方形の凹周溝４４ａ321を形成した場合を例示したが（図１１参照）、図１２に示すように、先端部側に傾斜面１４４ａ3211を有する凹周溝１４４ａ321であってもよい。
実施形態２のこの第２分離機構１４４ｘ2によれば、第２支軸１４４ａ32に対する第２軸受部材４４ｃの取り付けおよび取り外しをよりスムーズに行うことができる。
なお、このような傾斜面１４４ａ3211を有する凹周溝１４４ａ321を図１０で示した第１支軸４４ａ22に適用してもよい。
【００４７】
（実施形態３）
図１３は実施形態３における回転ブラシの他方側の支軸および軸受部材の分解断面図である。なお、図１２において、図１１中の要素と同様の要素には同一の符号を付している。
図３に示すように、実施形態３では、第２支軸１４４ａ32の凹周溝１４４ａ321を実施形態２のように形成することに加え、第２軸受部材２４４ｃの環状凸部２４４ｃ12を次のように構成する。すなわち、軸心方向両側に傾斜面２４４ｃ121、２４４ｃ122を有し、かつそれらの傾斜面の間に平坦面２４４ｃ123を有する環状凸部２４４ｃ12を第２軸受部材２４４ｃに設けてもよい。
実施形態３のこの第２分離機構２４４ｘ2によれば、第２支軸１４４ａ32に対する第２軸受部材２４４ｃの取り付けおよび取り外しをより一層スムーズに行うことができる。
【００４８】
（実施形態４）
実施形態１における第２軸受部材４４ｃの軸受４４ｃ2を第２支軸アセンブリ４４ａ3の第２支軸４４ａ32に固定して、第２軸受部材４４ｃが第２支軸アセンブリ４４ａ3から取り外せない構成としてもよい。
この場合、第２支軸４４ａ32に繊維状ダストが巻き付くと除去が困難となるため、実施形態１〜３のように第２軸受部材４４ｃの軸受４４ｃ2を第２支軸アセンブリ４４ａ3の第２支軸４４ａ32から取り外し可能な構成が好ましい。
あるいは、実施形態１における第１軸受部材４４ｂの軸受４４ｂ2を第１支軸アセンブリ４４ａ2の第１支軸４４ａ22に固定して、第１軸受部材４４ｂが第１支軸アセンブリ４４ａ2から取り外せない構成としてもよいが、前記と同様の理由により、第１軸受部材４４ｂの軸受４４ｂ2を第１支軸アセンブリ４４ａ2の第１支軸４４ａ22から取り外し可能な構成が好ましい。
【００４９】
（他の実施形態）
上述の実施形態ではモータ駆動式の回転ブラシの場合を例示したが、気流によって回転するタービンの回転力をタイミングプーリーおよびベルトにて回転ブラシに伝達するタービン駆動式の回転ブラシに本発明を適用してもよい。
【００５０】
（まとめ）
本発明の電気掃除機の回転ブラシは、電気掃除機の吸込口体に着脱可能に取り付けられる回転ブラシであって、
外周面にブラシ毛を有すると共に互いに逆方向に突出する一対の支軸を両端部に有するローラー状の回転ブラシ本体と、前記回転ブラシ本体の前記一対の支軸にそれぞれ回転可能に結合する一対の軸受部材と、回転可能に結合する前記一対の軸支と前記一対の軸受部材のうちの少なくとも一方側の支軸と軸受部材とを分離可能とする分離機構とを備え、
前記一対の軸受部材は、前記一対の支軸を挿入させる中心孔をそれぞれ有し、
前記分離機構は、前記少なくとも一方側の軸受部材および支軸の軸心方向に力を加えることにより分離および結合可能に構成されている。
【００５１】
本発明の電気掃除機の回転ブラシは、次のように構成されてもよく、それらが適宜組み合わされてもよい。
（１）前記分離機構が、回転可能に結合する前記一対の軸支と前記一対の軸受部材のうちの両方側に設けられてもよい。
この構成によれば、回転ブラシ本体の両端側の軸受部材を取り外してそれらの間の隙間に巻き付いた繊維状ダストを取り払うことができるため、回転ブラシを容易かつよりきれいに清掃することができる。
【００５２】
（２）前記分離機構は、前記支軸の外周面に設けられた凹周溝と、前記凹周溝と係脱可能に係止するよう前記軸受部材の前記中心孔の内周面に設けられた環状凸部とを有してもよい。
この構成によれば、支軸に対する軸受部材の取り付けおよび取り外しを簡単に行うことができる分離機構の構成が簡素化して作製が容易となる。
【００５３】
（３）前記一対の軸受部材のうちの少なくとも一方側の軸受部材は、軸心方向から視て前記中心孔を有する正方形のブロック形状に形成されると共に、外周面に窪み部が形成されてもよい。
この構成によれば、回転ブラシの一方側の支軸の周囲に設けられた溝付きプーリーと、吸込口体内に設けられたモータの出力軸に固定された別の溝付きプーリーとをタイミングベルトにて結合して回転ベルトを回転させる構成とする場合に、一方側の軸受部材を回転ブラシ側の溝付きプーリー内に納めることができるよう小型化するのに適している。なお、モータの代わりに気流によって回転するタービンの回転力で回転ブラシを回転させる構成とする場合も同様である。
【００５４】
（４）前記一対の軸受部材のうちの他方側の軸受部材は、軸心方向から視て前記中心孔を有する円形のフランジ形状に形成されてもよい。
この構成によれば、他方側の軸受部材を指で掴んで支軸に取り付けおよび取り外ししやすいサイズおよび形状に形成することができる。
【００５５】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００５６】
１  電気掃除機
１０  掃除機本体
４０  吸込口体
４１ａ1  吸込口
４４  回転ブラシ
４４ａ  回転ブラシ本体
４４ａ22  第１支軸
４４ａ32  第２支軸
４４ｂ  第１軸受部材
４４ｂ11、４４ｃ11  中心孔
４４ｂ12、４４ｃ12、２４４ｃ123  環状凸部
４４ｂ13  窪み部
４４ａ211、４４ａ321、１４４ａ321  凹周溝
４４ｃ  第２軸受部材
４４ｃ14  フランジ部
４４ｘ1  第１分離機構
４４ｘ2、１４４ｘ2、２４４ｘ2  第２分離機構
【図１】
2019025062.tif 000003
【図２】
2019025062.tif 000004
【図３】
2019025062.tif 000005
【図４】
2019025062.tif 000006
【図５】
2019025062.tif 000007
【図６】
2019025062.tif 000008
【図７】
2019025062.tif 000009
【図８】
2019025062.tif 000010
【図９】
2019025062.tif 000011
【図１０】
2019025062.tif 000012
【図１１】
2019025062.tif 000013
【図１２】
2019025062.tif 000014
【図１３】
2019025062.tif 000015